(57)【特許請求の範囲】
【請求項１】
エレベーターのかごドアまたは乗場ドアに設けられたドアパネルの表板と、
長手方向に第１長さを持ち、前記表板の意匠面を成す板部の裏面に重ね合うように設けられた補強部材と、
前記補強部材と前記表板とをレーザー溶接により接合した接合溶接部と、
を備え、
前記接合溶接部は、前記長手方向の一端部に第１接合端部を備えるとともに、前記第１接合端部よりも前記長手方向の他端部の側に接合中央部を備え、
前記第１接合端部は、前記長手方向に垂直な方向に連続した線状の形状を備えて、前記補強部材を前記表板の前記裏面に前記補強部材の側から接合し、
前記接合中央部は、前記長手方向に平行な方向に断続した破線の形状を備えて、前記補強部材を前記表板の前記裏面に前記補強部材の側から接合したエレベーターのドアパネル構造。
【請求項２】
前記第１接合端部は、前記長手方向に垂直な線分の形状を備えた請求項１に記載のエレベーターのドアパネル構造。
【請求項３】
エレベーターのかごドアまたは乗場ドアに設けられたドアパネルの表板と、
長手方向に第１長さを持ち、前記表板の意匠面を成す板部の裏面に重ね合うように設けられた補強部材と、
前記補強部材と前記表板とをレーザー溶接により接合した接合溶接部と、
を備え、
前記接合溶接部は、前記長手方向の一端部に第１接合端部を備えるとともに、前記第１接合端部よりも前記長手方向の他端部の側に接合中央部を備え、
前記第１接合端部は、円弧形状を備えて、前記補強部材を前記表板の前記裏面に前記補強部材の側から接合し、
前記接合中央部は、前記長手方向に平行な方向に断続した破線の形状を備えて、前記補強部材を前記表板の前記裏面に前記補強部材の側から接合したエレベーターのドアパネル構造。
【請求項４】
エレベーターのかごドアまたは乗場ドアに設けられたドアパネルの表板と、
長手方向に第１長さを持ち、前記表板の意匠面を成す板部の裏面に重ね合うように設けられた補強部材と、
前記補強部材と前記表板とをレーザー溶接により接合した接合溶接部と、
を備え、
前記接合溶接部は、前記長手方向の一端部に第１接合端部を備えるとともに、前記第１接合端部よりも前記長手方向の他端部の側に接合中央部を備え、
前記第１接合端部は、楕円の形状を備えて、前記補強部材を前記表板の前記裏面に前記補強部材の側から接合し、
前記接合中央部は、前記長手方向に平行な方向に断続した破線の形状を備えて、前記補強部材を前記表板の前記裏面に前記補強部材の側から接合したエレベーターのドアパネル構造。
【請求項５】
前記接合溶接部は、前記他端部に第２接合端部を備えるとともに、前記第２接合端部よりも前記一端部の側に前記接合中央部を備え、
前記第２接合端部は、前記長手方向に垂直な方向に連続した線状の形状を備えて、前記補強部材を前記表板の前記裏面に前記補強部材の側から接合した請求項１から請求項４のいずれか一項に記載のエレベーターのドアパネル構造。
【請求項６】
前記第２接合端部は、前記長手方向に垂直な線分の形状を備えた請求項５に記載のエレベーターのドアパネル構造。
【請求項７】
前記接合溶接部は、前記他端部に第２接合端部を備えるとともに、前記第２接合端部よりも前記一端部の側に前記接合中央部を備え、
前記第２接合端部は、円弧形状を備えて、前記補強部材を前記表板の前記裏面に前記補強部材の側から接合した請求項１から請求項４のいずれか一項に記載のエレベーターのドアパネル構造。
【請求項８】
前記接合溶接部は、前記他端部に第２接合端部を備えるとともに、前記第２接合端部よりも前記一端部の側に前記接合中央部を備え、
前記第２接合端部は、楕円の形状を備えて、前記補強部材を前記表板の前記裏面に前記補強部材の側から接合した請求項１から請求項４のいずれか一項に記載のエレベーターのドアパネル構造。
【発明の詳細な説明】
【技術分野】
【０００１】
本開示は、エレベーターのドアパネル構造に関する。
【背景技術】
【０００２】
特許文献１は、エレベーターのドアパネルの表板と補強部材とが接着剤によって接合されたエレベーターのドアパネル構造を開示する。
【先行技術文献】
【特許文献】
【０００３】
【特許文献１】日本特開２００７−１５３５００号公報
【発明の概要】
【発明が解決しようとする課題】
【０００４】
しかしながら、特許文献１に記載のエレベーターのドアパネルを製作する際、接着剤が硬化する工程を製作工程に組み入れる必要がある。このため、ドアパネルの製作時間が長くなる。そこで、表板と補強部材との接合にレーザー溶接を用いる製作方法が考えられる。【０００５】
しかしながら、レーザー溶接を用いてドアパネルを製作する場合、ドアパネルの十分な強度と高い意匠性とを両立することが困難である。【０００６】
本開示は、上述の課題を解決するためになされた。本開示の目的は、十分な強度と高い意匠性とを両立できるエレベーターのドアパネル構造を提供することである。
【課題を解決するための手段】
【０００７】
本開示に係るエレベーターのドアパネル構造は、エレベーターのかごドアまたは乗場ドアに設けられたドアパネルの表板と、長手方向に第１長さを持ち、前記表板の意匠面を成す板部の裏面に重ね合うように設けられた補強部材と、前記補強部材と前記表板とをレーザー溶接により接合した接合溶接部と、を備え、前記接合溶接部は、前記長手方向の一端部に第１接合端部を備えるとともに、前記第１接合端部よりも前記長手方向の他端部の側に接合中央部を備え、前記第１接合端部は、前記長手方向に垂直な方向に連続した線状の形状を備えて、前記補強部材を前記表板の前記裏面に前記補強部材の側から接合し、前記接合中央部は、前記長手方向に平行な方向に断続した破線の形状を備えて、前記補強部材を前記表板の前記裏面に前記補強部材の側から接合した。
本開示に係るエレベーターのドアパネル構造は、エレベーターのかごドアまたは乗場ドアに設けられたドアパネルの表板と、長手方向に第１長さを持ち、前記表板の意匠面を成す板部の裏面に重ね合うように設けられた補強部材と、前記補強部材と前記表板とをレーザー溶接により接合した接合溶接部と、を備え、前記接合溶接部は、前記長手方向の一端部に第１接合端部を備えるとともに、前記第１接合端部よりも前記長手方向の他端部の側に接合中央部を備え、前記第１接合端部は、円弧形状を備えて、前記補強部材を前記表板の前記裏面に前記補強部材の側から接合し、前記接合中央部は、前記長手方向に平行な方向に断続した破線の形状を備えて、前記補強部材を前記表板の前記裏面に前記補強部材の側から接合した。
本開示に係るエレベーターのドアパネル構造は、エレベーターのかごドアまたは乗場ドアに設けられたドアパネルの表板と、長手方向に第１長さを持ち、前記表板の意匠面を成す板部の裏面に重ね合うように設けられた補強部材と、前記補強部材と前記表板とをレーザー溶接により接合した接合溶接部と、を備え、前記接合溶接部は、前記長手方向の一端部に第１接合端部を備えるとともに、前記第１接合端部よりも前記長手方向の他端部の側に接合中央部を備え、前記第１接合端部は、楕円の形状を備えて、前記補強部材を前記表板の前記裏面に前記補強部材の側から接合し、前記接合中央部は、前記長手方向に平行な方向に断続した破線の形状を備えて、前記補強部材を前記表板の前記裏面に前記補強部材の側から接合した。
【発明の効果】
【０００８】
本開示によれば、エレベーターのドアパネル構造は、レーザー溶接によって形成された接合溶接部を備える。接合溶接部は、第１接合端部と接合中央部とを備える。このため、エレベーターのドアパネル構造は、十分な強度と高い意匠性を両立することができる。
【図面の簡単な説明】
【０００９】
【図１】実施の形態１におけるエレベーターのドアパネルの斜視図である。
【図２】実施の形態１におけるエレベーターのドアパネルのＡ−Ａ断面図である。
【図３】実施の形態１におけるエレベーターのドアパネルのＸ矢視図である。
【図４】実施の形態２におけるエレベーターのドアパネルのＸ矢視図である。
【発明を実施するための形態】
【００１０】
本開示を実施するための形態について添付の図面に従って説明する。なお、各図中、同一または相当する部分には同一の符号が付される。当該部分の重複説明は適宜に簡略化ないし省略される。
【００１１】
実施の形態１．
図１は実施の形態１におけるエレベーターのドアパネルの斜視図である。
【００１２】
図１に示されるように、ドアパネル１は、表板２と補強部材３と下部補強部材４とを備える。
【００１３】
例えば、ドアパネル１は、図示されないエレベーターの乗場ドアに設けられる。例えば、ドアパネル１は、図示されないエレベーターのかごドアに設けられる。
【００１４】
例えば、表板２は、鋼板材からなる。例えば、表板２は、鋼板材の各辺を折り曲げて成型される。
【００１５】
表板２は、一側に裏面２ａを備える。表板２は、他側に意匠面２ｂを備える。
【００１６】
裏面２ａは、折り曲げられた当該鋼板材の各辺に囲まれた表板２の側面である。例えば、裏面２ａは、ドアパネル１を乗場ドアに設置した際、乗場にいる利用者から見えない側面である。
【００１７】
意匠面２ｂは、裏面２ａの反対側面である。例えば、意匠面２ｂは、ドアパネル１を乗場ドアに設置した際、乗場にいる利用者から見える側面である。例えば、意匠面２ｂは、意匠性を持った塗装が施される。例えば、意匠面２ｂは、意匠性を持った加工が施される。
【００１８】
例えば、補強部材３は、鋼板材からなる。例えば、補強部材３は、鋼板材を折り曲げて作成される。例えば、補強部材３は、断面がハット型の形状になるよう成型される。補強部材３は、長手方向に第１長さＬ１を備える。
【００１９】
例えば、補強部材３は、天板部３ａと２つのフランジ部３ｂとを備える。
【００２０】
補強部材３は、裏面２ａの表面に接するように設けられる。補強部材３は、表板２に重なるように設けられる。補強部材３は、レーザー溶接によって、表板２に接合される。
【００２１】
例えば、下部補強部材４は、鋼板材からなる。例えば、下部補強部材４は、鋼板材を折り曲げて作成される。例えば、下部補強部材４は、断面がハット型の形状になるよう成型される。下部補強部材４は、長辺方向に第２長さＬ２を備える。
【００２２】
例えば、下部補強部材４は、下部天板部４ａと２つの下部フランジ部４ｂとを備える。
【００２３】
下部補強部材４は、裏面２ａの表面に接するように設けられる。下部補強部材４は、表板２に重なるように設けられる。下部補強部材４は、レーザー溶接によって、表板２に接合される。例えば、下部補強部材４は、ドアパネル１を乗場ドアに設置した際、ドアパネル１の下方に位置するように設けられる。
【００２４】
次に、図２を用いて、ドアパネル構造のレーザー溶接による接合溶接部１０について説明する。
図２は実施の形態１におけるエレベーターのドアパネルのＡ−Ａ断面図である。
【００２５】
図２に示されるように、ドアパネル１は、接合溶接部１０を備える。補強部材３は、接合溶接部１０を介して、表板２の裏面２ａと接合される。図示されない下部補強部材４は、接合溶接部１０を介して、表板２の裏面２ａと接合される。
【００２６】
接合溶接部１０は、レーザー溶接によって形成される。接合溶接部１０は、裏面２ａと二つのフランジ部３ｂとを接合する。接合溶接部１０は、裏面２ａと図示されない二つの下部フランジ部４ｂとを接合する。
【００２７】
次に、図３を用いて、ドアパネル１の接合溶接部１０について説明する。
図３は実施の形態１におけるエレベーターのドアパネルのＸ矢視図である。ここで、網掛けで示される領域は、接合溶接部１０である。
【００２８】
図３に示されるように、補強部材３に設けられる接合溶接部１０は、２つの接合端部１１と接合中央部１２とを備える。
【００２９】
補強部材３に設けられる２つの接合端部１１は、第１接合端部１１ａと第２接合端部１１ｂとを備える。
【００３０】
第１接合端部１１ａは、連続した線状の形状を備える。例えば、第１接合端部１１ａは、長手方向に垂直な線分の形状を備える。例えば、第１接合端部１１ａは、フランジ部３ｂの幅方向長さの２分の１以上の長さを備える。例えば、第１接合端部１１ａは、フランジ部３ｂの幅方向長さと同じ長さを備える。
【００３１】
第１接合端部１１ａは、設置されたドアパネル１の上方に設けられる。第１接合端部１１ａは、補強部材３の一側の端部から、長手方向に距離Ｄａだけ離れた位置に設けられる。距離Ｄａは、第１長さＬ１の１０分の１以下の数値である。
【００３２】
第２接合端部１１ｂは、連続した線状の形状を備える。例えば、第２接合端部１１ｂは、円弧形状を備える。例えば、第２接合端部１１ｂは、中心角が３６０度未満の円弧形状を備える。
【００３３】
第２接合端部１１ｂは、設置されたドアパネル１の下方に設けられる。第２接合端部１１ｂは、補強部材３の他側の端部から、長手方向に距離Ｄｂだけ離れた位置に設けられる。距離Ｄｂは、第１長さＬ１の１０分の１以下の数値である。
【００３４】
接合中央部１２は、一直線上に並んだ複数の線分を備える。接合中央部１２は、破線形状を備える。例えば、接合中央部１２は、一方向へ断続的に溶接されることで形成される。
【００３５】
接合中央部１２は、第１接合端部１１ａと第２接合端部１１ｂとの間に設けられる。接合中央部１２は、長手方向に平行に設けられる。例えば、接合中央部１２は、フランジ部３ｂの幅方向中央に設けられる。例えば、接合中央部１２は、フランジ部３ｂの幅方向中央よりも天板部３ａ側に設けられる。
【００３６】
接合中央部１２は、第１接合端部１１ａと重ならないように設けられる。接合中央部１２は、第２接合端部１１ｂと重ならないように設けられる。
【００３７】
下部補強部材４に設けられる下部接合溶接部２０は、２つの下部接合端部２１と下部接合中央部２２とを備える。
【００３８】
例えば、２つの下部接合端部２１の各々は、第２接合端部１１ｂと同様の形状を備える。例えば、２つの下部接合端部２１の各々は、円弧形状を備える。例えば、２つの下部接合端部２１の各々は、中心角が３６０度未満の円弧形状を備える。
【００３９】
２つの下部接合端部２１の各々は、下部補強部材４の各々の端部から、長手方向に距離Ｄｃだけ離れた位置に設けられる。距離Ｄｃは、第２長さＬ２の１０分の１以下の数値である。
【００４０】
下部接合中央部２２は、一直線上に並んだ複数の線分を備える。下部接合中央部２２は、破線形状を備える。例えば、下部接合中央部２２は、一方向へ断続的に溶接されることで形成される。
【００４１】
下部接合中央部２２は、２つの下部接合端部２１の間に設けられる。下部接合中央部２２は、長手方向に平行に設けられる。例えば、下部接合中央部２２は、下部フランジ部４ｂの幅方向中央に設けられる。例えば、下部接合中央部２２は、下部フランジ部４ｂの幅方向中央よりも下部天板部４ａ側に設けられる。
【００４２】
下部接合中央部２２は、２つの下部接合端部２１の各々と重ならないように設けられる。
【００４３】
以上で説明した実施の形態１によれば、エレベーターのドアパネル１は、表板２と補強部材３と接合溶接部１０とを備える。表板２は、レーザー溶接によって、補強部材３と接合溶接部１０を介して接合されている。接合溶接部１０は、第１接合端部１１ａと接合中央部１２とを備える。第１接合端部１１ａは、補強部材３の一端部から長さＬ１の１０分の１の距離以内の範囲に設けられる。第１接合端部１１ａは、線状の形状を備える。このため、補強部材３は、第１接合端部１１ａにおいて、十分な接合強度が確保された状態で表板２に溶接接合される。また、接合中央部１２は、第１接合端部１１ａと重ならないように設けられる。接合中央部１２は、補強部材３の長手方向に平行な破線の形状を備える。このため、接合中央部１２の接合部分の溶接ひずみは抑制される。従って、表板２は、高い意匠性を備えることができる。その結果、エレベーターのドアパネル１は、十分な強度と高い意匠性を両立することができる。
【００４４】
また、第１接合端部１１ａは、長手方向に垂直な線分の形状を備える。このため、意匠面２ｂにおいて、第１接合端部１１ａによる溶接痕の形成は抑制される。補強部材３は、第１接合端部１１ａにおいて、十分な接合強度が確保された状態で表板２に溶接接合される。その結果、ドアパネル１は、十分な強度と高い意匠性を両立することができる。
【００４５】
なお、第１接合端部１１ａは、第２接合端部１１ｂと同じ形状を備えてもよい。例えば、第１接合端部１１ａは、円弧形状を備える。例えば、第１接合端部１１ａは、中心角が３６０度未満の円弧形状を備える。このため、補強部材３は、第１接合端部１１ａにおいて、十分な接合強度が確保された状態で表板２に接合されることができる。
【００４６】
また、接合溶接部１０は、第２接合端部１１ｂを備える。第２接合端部１１ｂは、補強部材３の他端部から長さＬ１の１０分の１の距離以内の範囲に設けられる。第２接合端部１１ｂは、線状の形状を備える。このため、補強部材３は、第２接合端部１１ｂにおいて、十分な接合強度が確保された状態で表板２に接合されることができる。
【００４７】
また、第２接合端部１１ｂは、円弧形状を備える。このため、補強部材３は、第２接合端部１１ｂにおいて、十分な接合強度が確保された状態で表板２に接合されることができる。
【００４８】
なお、第２接合端部１１ｂは、第１接合端部１１ａと同じ形状を備えてもよい。例えば、第２接合端部１１ｂは、長手方向に垂直な線分の形状を備える。例えば、第２接合端部１１ｂは、フランジ部３ｂの幅方向長さの２分の１以上の長さを備える。例えば、第２接合端部１１ｂは、フランジ部３ｂの幅方向長さと同じ長さを備える。このため、意匠面２ｂにおいて、第２接合端部１１ｂは、溶接痕の形成を抑制することができる。
【００４９】
なお、下部補強部材４に設けられる１つ以上の下部接合端部２１は、第１接合端部１１ａと同様の形状を備えてもよい。例えば、１つ以上の下部接合端部２１は、長手方向に垂直な線分の形状を備える。例えば、１つ以上の下部接合端部２１は、下部フランジ部４ｂの幅方向長さの２分の１以上の長さを備える。例えば、１つ以上の下部接合端部２１は、下部フランジ部４ｂの幅方向長さと同じ長さを備える。即ち、２つの下部接合端部２１は、実質的に第１接合端部１１ａと第２接合端部１１ｂとを備えている。
【００５０】
実施の形態２．
図４は実施の形態２におけるエレベーターのドアパネルのＸ矢視図である。なお、実施の形態１の部分と同一又は相当部分には同一符号が付される。当該部分の説明は省略される。
【００５１】
図４に示されるように、例えば、第１接合端部１１ａは、楕円の形状を備える。第１接合端部１１ａは、楕円の形状を備える。例えば、第１接合端部１１ａは、フランジ部３ｂの幅方向長さの２分の１以上の長さの長軸を持つ楕円の形状を備える。例えば、第１接合端部１１ａは、フランジ部３ｂの幅方向長さと同じ長さの長軸を持つ楕円の形状を備える。
【００５２】
例えば、第２接合端部１１ｂは、楕円の形状を備える。例えば、第２接合端部１１ｂは、フランジ部３ｂの幅方向長さの２分の１以上の長さの長軸を持つ楕円の形状を備える。例えば、第２接合端部１１ｂは、フランジ部３ｂの幅方向長さと同じ長さの長軸を持つ楕円の形状を備える。
【００５３】
以上で説明した実施の形態２によれば、第１接合端部１１ａは、楕円の形状を備える。このため、補強部材３は、第１接合端部１１ａにおいて、十分な接合強度を確保された状態で表板２に接合されることができる。
【００５４】
また、第２接合端部１１ｂは、楕円の形状を備える。このため、補強部材３は、第２接合端部１１ｂにおいて、十分な接合強度を確保された状態で表板２に接合されることができる。
【００５５】
なお、第１接合端部１１ａが楕円の形状を備える場合、第２接合端部１１ｂが備える形状は、実施の形態１における第２接合端部１１ｂが備える形状でもよい。例えば、第２接合端部１１ｂは、円弧形状を備える。例えば、第２接合端部１１ｂは、中心角が３６０度未満の円弧形状を備える。例えば、第２接合端部１１ｂは、長手方向に垂直な線分の形状を備える。例えば、第２接合端部１１ｂは、フランジ部３ｂの幅方向長さの２分の１以上の長さを備える。例えば、第２接合端部１１ｂは、フランジ部３ｂの幅方向長さと同じ長さを備える。
【００５６】
また、第２接合端部１１ｂが楕円の形状を備える場合、第１接合端部１１ａが備える形状は、実施の形態１における第１接合端部１１ａが備える形状でもよい。例えば、第１接合端部１１ａは、長手方向に垂直な線分の形状を備える。例えば、第１接合端部１１ａは、フランジ部３ｂの幅方向長さの２分の１以上の長さを備える。例えば、第１接合端部１１ａは、フランジ部３ｂの幅方向長さと同じ長さを備える。例えば、第１接合端部１１ａは、円弧形状を備える。例えば、第１接合端部１１ａは、中心角が３６０度未満の円弧形状を備える。
【産業上の利用可能性】
【００５７】
以上のように、本開示に係るエレベーターのドアパネル構造は、エレベーターの乗場ドアおよびかごドアに利用できる。
【符号の説明】
【００５８】
１  ドアパネル、  ２  表板、  ２ａ  裏面、  ２ｂ  意匠面、  ３  補強部材、  ３ａ  天板部、  ３ｂ  フランジ部、  ４  下部補強部材、  ４ａ  下部天板部、  ４ｂ  下部フランジ部、  １０  接合溶接部、  １１  接合端部、  １１ａ  第１接合端部、  １１ｂ  第２接合端部、  １２  接合中央部、  ２０  下部接合溶接部、  ２１  下部接合端部、  ２２  下部接合中央部
【要約】
十分な強度と高い意匠性を両立することができるレーザー溶接を用いたエレベーターのドアパネル構造を提供する。エレベーターのドアパネル構造は、エレベーターのかごドアまたは乗場ドアに設けられたドアパネルの表板と、長手方向に第１長さを持ち、前記表板に重ね合うように設けられた補強部材と、前記補強部材と前記表板とをレーザー溶接により接合した接合溶接部と、を備え、前記接合溶接部は、連続した線状の形状を備え、前記補強部材の長手方向の一端部から前記第１長さの１０分の１の距離以内の範囲に設けられた第１接合端部と、前記長手方向に平行な破線の形状を備え、前記第１接合端部と重ならないように設けられた接合中央部と、を備えた。【図１】
0006901054.tif 000002
【図２】
0006901054.tif 000003
【図３】
0006901054.tif 000004
【図４】
0006901054.tif 000005